(57)【要約】【課題】  箱部と蓋体で構成される複合型組み立て式箱体を改良すること。【解決手段】  箱部と蓋体で構成された複合型組み立て式箱体であって、その箱部は、箱体内層と箱体外層で構成される。その箱体内層は、側壁の内側に、割れ易い板材を保持する箱体溝が複数形成されていて、少なくとも１つの側壁の外側に箱体ガイドが少なくとも１つ設けられている。その箱体外層は、中空構造で、その箱体外装を収納する。その箱体外層の側壁内側には、上記箱体ガイドに対応する箱体トレンチが形成されている。その箱体外層と箱体内層とは材料に異なる。その箱体内層は発泡材で、その箱体外層の材料は防火材料または静電気防止材料であるので、防火および静電気防止する機能が得られると共に、その箱体溝が破損しても、その箱体内層を取り替えるだけで、その箱体外層を引き続き再利用することができる。【選択図】      図１
2005067733.tif 000002
【特許請求の範囲】
【請求項１】
二対の相対している側壁を有し、その中の少なくとも一対の相対している側壁の内側に、割れ易い板材を少なくとも一枚保持可能である箱体溝が複数形成されており、かつ、少なくとも１つの側壁の外側に、第一の結合装置が少なくとも１つ設けられている箱体内層と、
中空構造で、上記箱体外装を収納するものであって、側壁内側には、上記第一の結合装置に対応する第二の結合装置が形成されている箱体外層とを有する箱部と、
上記箱部の上を蓋する蓋体とを有することを特徴とする複合型組み立て式箱体。
【請求項２】
上記箱体内層は、四方形構造で、その上記二対の相対している側壁は全て内側に上記箱体溝が形成されたことを特徴とする請求項１記載の複合型組み立て式箱体。
【請求項３】
上記箱体内層は、四方形構造で、その上記二対の相対している側壁は全て外側に少なくとも１つ上記第一の結合装置が設けられていることを特徴とする請求項１記載の複合型組み立て式箱体。
【請求項４】
上記第一の結合装置は箱体ガイドで、上記第二の結合装置は箱体トレンチであることを特徴とする請求項１記載の複合型組み立て式箱体。
【請求項５】
上記箱体内層のある一対の相対している側壁の外側には各々２つの上記箱体ガイドが、他方の一対の相対している側壁の外側には各々１つの箱体ガイドが形成されていることを特徴とする請求項４記載の複合型組み立て式箱体。
【請求項６】
上記割れ易い板材はガラス基板であることを特徴とする請求項１記載の複合型組み立て式箱体。
【請求項７】
上記箱体内層には更に下部クッション材が含まれ、上記クッション材は取り外し可能であるように上記箱体内層の底部に設けられ、その表面に上記箱体内層の箱体溝に対応するように複数の下部溝が直交状に配置されていることで上記割れ易い板材を支えることを特徴とする請求項１記載の複合型組み立て式箱体。
【請求項８】
上記下部クッション材の材料は発泡材で、その発泡材の発泡率が３〜２００倍であることを特徴とする請求項７記載の複合型組み立て式箱体。
【請求項９】
上記発泡率が５０〜２００倍であることを特徴とする請求項８記載の複合型組み立て式箱体。
【請求項１０】
上記箱体内層の材料は発泡材で、その発泡材の発泡率が３〜２００倍であることを特徴とする請求項１記載の複合型組み立て式箱体。
【請求項１１】
上記発泡率が３２〜２００倍であることを特徴とする請求項１０記載の複合型組み立て式箱体。
【請求項１２】
上記発泡材は、ポリプロピレン（ＥＰＰ）、ポリプロピレンとポリエチレンとの共重合体（ＥＰＯ）、ポリエチレン（ＥＰＥ）、ポリスチレン（ＥＰＳ）から成る材料群から選択されることを特徴とする請求項８から１０の何れか１項に記載の複合型組み立て式箱体。
【請求項１３】
上記箱体外層の材料はＵＬ９４Ｖ０からＶ２の基準に適した防火材料であることを特徴とする請求項１記載の複合型組み立て式箱体。
【請求項１４】
上記防火材料はプラスチックであることを特徴とする請求項１３記載の複合型組み立て式箱体。
【請求項１５】
上記プラスチックは、ポリオレフィンおよびその重合体、ポリ塩化ビニルおよびその重合体、ナイロンおよびその重合体、ポリカーボネートおよびその重合体、ポリメタクリル酸およびその重合体、ポリエステル類およびその重合体から成る材料群から選択されることを特徴とする請求項１４記載の複合型組み立て式箱体。
【請求項１６】
上記防火材料は金属であることを特徴とする請求項１３記載の複合型組み立て式箱体。
【請求項１７】
上記金属は、アルミニウム、マグネシウム、アルミニウムとマグネシウムの合金、ブリキおよびステンレス鋼から成る材料群から選択されることを特徴とする請求項１４記載の複合型組み立て式箱体。
【請求項１８】
上記箱体外層の材料は、体積抵抗が１０1〜１０12Ω・ｃｍである静電気防止材料であることを特徴とする請求項１記載の複合型組み立て式箱体。
【請求項１９】
上記静電気防止材料はプラスチックであることを特徴とする請求項１８記載の複合型組み立て式箱体。
【請求項２０】
上記プラスチックは、固有型ポリエーテルポリアミン類高分子(Inhernt Dissipapive Polymer、IDP)と固有型共役導電性高分子(Inhernt Conductive Polymer、IDP)とから成る材料群から選択されることを特徴とする請求項１９記載の複合型組み立て式箱体。
【請求項２１】
上記静電気防止材料は金属であることを特徴とする請求項１８記載の複合型組み立て式箱体。
【請求項２２】
上記蓋体は蓋体内層と蓋体外層で構成されており、かつ、上記蓋体内層は中空構造であって、二対の相対している側壁を有し、その中の少なくとも一対の相対している側壁の内側に複数の蓋体溝が形成され、かつ、その中の少なくとも１つの側壁の外側に蓋体ガイドが少なくとも１つ設けられ、上記蓋体外層は、中空構造で、蓋体内層を収納するものであって、その内側には、上記蓋体ガイドに対応する蓋体トレンチが設けられてあると共に、材料が上記蓋体内層と異なることを特徴とする請求項１記載の複合型組み立て式箱体。
【請求項２３】
上記蓋体内層は、四方形構造で、その上記二対の相対している側壁の内側には共に上記蓋体溝が形成されたことを特徴とする請求項２２記載の複合型組み立て式箱体。
【請求項２４】
上記蓋体内層は、四方形構造で、その二対の相対している側壁の外側には共に蓋体ガイドが設けられていることを特徴とする請求項２２記載の複合型組み立て式箱体。
【請求項２５】
上記蓋体内層のある一対の相対している側壁の外側には各々２つの上記蓋体ガイドが形成されていることを特徴とする請求項２４記載の複合型組み立て式箱体。
【請求項２６】
上記蓋体内層の他の一対の相対している側壁の外側には各々１つの上記蓋体ガイドが形成されていることを特徴とする請求項２４記載の複合型組み立て式箱体。
【請求項２７】
上記蓋体内層には更に上部クッション材が含まれており、上記上部クッション材は上記蓋体内層の天井部に設けられ、その表面に上記箱体内層の箱体溝に対応するように複数の上部溝が直交状に配置されていることで上記割れ易い板材を支えることを特徴とする請求項２２記載の複合型組み立て式箱体。
【請求項２８】
上記上部クッション材の材料は発泡材で、その発泡材の発泡率が３〜２００倍であることを特徴とする請求項２７記載の複合型組み立て式箱体。
【請求項２９】
上記発泡率が５０〜２００倍であることを特徴とする請求項２８記載の複合型組み立て式箱体。
【請求項３０】
上記蓋体内層の材料は発泡材で、その発泡材の発泡率が３〜２００倍であることを特徴とする請求項２２記載の複合型組み立て式箱体。
【請求項３１】
上記発泡率が３２〜２００倍であることを特徴とする請求項３０記載の複合型組み立て式箱体。
【請求項３２】
上記発泡材は、ポリプロピレン（ＥＰＰ）、ポリプロピレンとポリエチレンとの共重合体（ＥＰＯ）、ポリエチレン（ＥＰＥ）、ポリスチレン（ＥＰＳ）から成る材料群から選択されることを特徴とする請求項２８から３０の何れか１項に記載の複合型組み立て式箱体。
【請求項３３】
上記蓋体外層の材料は、ＵＬ９４Ｖ０からＶ２の基準に適した防火材料であることを特徴とする請求項２２記載の複合型組み立て式箱体。
【請求項３４】
上記防火材料はプラスチックであることを特徴とする請求項３３記載の複合型組み立て式箱体。
【請求項３５】
上記プラスチックは、ポリオレフィンおよびその重合体、ポリ塩化ビニルおよびその重合体、ナイロンおよびその重合体、ポリカーボネートおよびその重合体、ポリメタクリル酸およびその重合体、ポリエステル類およびその重合体から成る材料群から選択されることを特徴とする請求項３４記載の複合型組み立て式箱体。
【請求項３６】
上記防火材料は金属であることを特徴とする請求項３３記載の複合型組み立て式箱体。
【請求項３７】
上記金属は、アルミニウム、マグネシウム、アルミニウムとマグネシウムの合金、ブリキおよびステンレス鋼から成る材料群から選択されることを特徴とする請求項３６記載の複合型組み立て式箱体。
【請求項３８】
上記蓋体外層の材料は、体積抵抗が１０1〜１０12Ω・ｃｍである静電気防止材料であることを特徴とする請求項２２記載の複合型組み立て式箱体。
【請求項３９】
上記静電気防止材料はプラスチックであることを特徴とする請求項３８記載の複合型組み立て式箱体。
【請求項４０】
上記プラスチックは、固有型ポリエーテルポリアミン類高分子(Inhernt Dissipapive Polymer、IDP)および固有型共役導電性高分子(Inhernt Conductive Polymer、IDP)から成る材料群から選択されることを特徴とする請求項３９記載の複合型組み立て式箱体。
【請求項４１】
上記静電気防止材料は金属であることを特徴とする請求項３８記載の複合型組み立て式箱体。
【発明の詳細な説明】
【技術分野】
【０００１】
本発明は、一種の複合型組み立て式箱で、特に割れ易い板材（例としてガラス基板）の持ち運びに適する、難燃性または静電気防止性材料でその外部を覆う複合型組み立て式箱に関する。
【背景技術】
【０００２】
図１を参照すると、割れ易い板材（例としてガラス基板）の運搬に用いられている従来の運搬用箱が図示されている。運搬用箱１は、箱部１１および蓋体１２で構成される。その箱体１１は、底がある中空の構造である。その向かい合っている側壁内側に複数の割れ易い板材（例としてガラス基板）（図示省略）を収める複数の箱体溝１１１が形成されていて、それにより割れ易い板材がお互いに対して接触せずに並行に保持される。その蓋体１２は、その箱部１１の上部を蓋するもので、その箱部に保持されている割れ易い板材を保護する。その箱部１１とその蓋体１２は同じ材質で、発泡率が通常３〜３０倍であるポリオレフィン系発泡材で出来ているので、全体の重さが減少し、震動による衝撃もが軽減される。
【０００３】
従来の運搬用箱は、その材料である発泡材が可燃性であるので、高温環境で軟化したり燃え上がったりする欠点がある。また、そのような発泡材の静電気防止性が不十分であるので、それを適用した運搬用箱でガラス基板を運んだ場合、運搬されたガラス基板は、外部からの静電気で破損され易くなり、品質上の信頼性が低下する。さらに、その箱部１１は発泡材で一体形成されたものなので、箱部溝１１１が板材との衝突で破損すると、その箱部が二度と使えなくなるため、コストが増加する。また、このような一体形成による運搬用箱は、その材料としての発泡材の発泡率が３０倍以下（３０倍を超えると、その側壁の強度が足りなくなる）に限定されているので、提供できる保護作用またはその効果が非常に限られる。
【発明の開示】
【発明が解決しようとする課題】
【０００４】
上記の課題を解決するために、割れ易い板材の運搬用箱として新型でより進歩したものが必要と考えられる。
本発明は、箱部と蓋体で構成される複合型組み立て式箱体を提供することを、目的とする。
【課題を解決するための手段】
【０００５】
本発明による箱部は、箱体内層と箱体外層で構成される。その箱体内層は中空構造で、側壁の内側に割れ易い板材を保持する箱体溝が複数形成されていて、少なくとも１つの側壁の外側に箱体ガイドが少なくとも１つ設けられている。その箱体外層は、中空構造で、その箱体外装を収納する。その箱体外層の側壁内側には、上記箱体ガイドに対応する箱体トレンチが形成されている。その箱体外層と箱体内層との材料は異なっていて、その箱体外層の材料は防火材料または静電気防止材料で、その箱体内層は発泡材である。
その蓋体はその箱体の上部に蓋するものである。
【発明の効果】
【０００６】
上記の構造により、その箱体外層により防火および静電気防止する機能が得られると共に、万一その箱体溝が破損しても、その箱体内層を取り替えるだけで、その箱体外層を引き続き再利用することができるので、コストが大幅に低減する。また、このような少なくとも二層の構造では、強度はその箱体外層により強化することができるので、その箱体内層の発泡材の発泡率を３０倍以下に限定する必要がなくなり、運搬される割れ易い板材に対する防振効果を大幅に向上させることが可能になる。
【発明を実施するための最良の形態】
【０００７】
本発明の第一の実施形態による複合型組み立て式箱体を示している立体図である図２を参照すると、複合型組み立て式箱体２は、箱部２１と、蓋体２２と、上部クッション材２３と、下部クッション材とで構成される。その箱部２１は、箱体内層２１１と箱体外装２１２で構成されている。その蓋体２２は、その箱部２１を上端から蓋するもので、蓋体内層２２１と蓋体外層２２２で構成される。
【０００８】
本実施形態では、その箱体内層２１１は中空構造で、側壁の内側に割れ易い板材（例としてガラス基板（図示せず））を十数枚または数十枚保持する箱体溝２１１が複数形成されているので、それらの割れ易い板材がお互いに対して接触せずに並行に保持される。その箱体内層２１１の少なくとも１つの側壁に第一の結合装置が設けられている。その第一の結合装置は箱体ガイド２１１２であるのが好ましい。本実施形態では、その箱体内層２１１は長方形で、４つの側壁の内側には複数の箱体溝２１１１が、外側には各々少なくとも１つの箱体ガイド２１１２が形成されている。また、長辺の側壁の外側に箱体ガイドを２つ、短辺の側壁の外側に箱体ガイドを１つ設けることが好ましい。
【０００９】
その下部クッション材は、取り外しが可能であるようにその箱体内層２１１の底部に設けられ、表面に複数の下部溝２４１が直交するように配置されている。それらの下部溝２４１は、その箱体内層２１１の箱体溝２１１１に対応しており、その箱体溝２１１１に挿入して保持される割れ易い板材の下端を支える。
【００１０】
その箱体内層２１１およびその下部クッション材２４の材料は、ポリプロピレン（ＥＰＰ）、ポリプロピレンとポリエチレンとの共重合体（ＥＰＯ）、ポリエチレン（ＥＰＥ）、ポリスチレン（ＥＰＳ）から成る材料群から選択される発泡材である。そこで、その箱体内層２１１の発泡材の発泡率は、３〜２００倍が好ましく、３２〜２００倍が更に好ましい。その下部クッション材２４の発泡材の発泡率は３〜２００倍が好ましく、５０〜２００倍が更に好ましい。
【００１１】
その箱体外層２１２は、同様に中空構造であり、その箱体内層２１１を収納する。その箱体外層には、その第一の結合装置に対応する第二の結合装置が設けられている。その第二の結合装置は箱体トレンチ２１２１であるのが好ましい。本実例では、その箱体外層２１２の側壁の内側にその箱体ガイド２１１２に対応する箱体トレンチ２１２１が設けられており、その箱体内層２１１をその箱体外層２１２に滑り込ませて入れると、その箱体ガイド２１１２とその箱体トレンチ２１２１の組合せにより、より緊密に結合する。その箱体ガイド２１１２とその箱体トレンチ２１２１の形は、その箱体内層２１１とその箱体外層２１２を組み合わせることができるものであればよしで、特に制限されない。その箱体外層２１２の材料は、その箱体内層２１１の材料と異なり、防火材料か静電気防止材料かである。この場合での防火材料は、必ずＵＬ９４Ｖ0からＶ2の基準に適するものであって、プラスチック製と金属製の二つの部分に分かれる。そのうちプラスチック材料は、ポリオレフィンおよびその重合体、ポリ塩化ビニルおよびその重合体、ナイロンおよびその重合体、ポリカーボネートおよびその重合体、ポリメタクリル酸およびその重合体、ポリエステル類およびその重合体から成る材料群から選択され、金属材料はアルミニウム、マグネシウム、アルミニウムとマグネシウムの合金、ブリキおよびステンレス鋼から成る材料群から選択される。
【００１２】
また、箱体外層２１２を静電気防止材料で構成する場合、その静電気防止材料は、体積抵抗が１０1〜１０12Ω・ｃｍが好ましく、１０7〜１０12Ω・ｃｍが更に好ましい。ここでも、プラスチックと金属との２つの部分に分かれる。プラスチックの方は、固有型ポリエーテルポリアミン類高分子(Inhernt Dissipapive Polymer、IDP)と固有型共役導電性高分子(Inhernt Conductive Polymer、IDP)とから成る材料群から選択する。金属の方は、任意に選択することができる。
【００１３】
その蓋体内層２２１は中空構造で、側壁の内側に割れ易い板材を保持する箱体溝２１１１が複数形成されている。その蓋体内層２１１の少なくとも１つの側壁の外側には、蓋体ガイド２２１２が設けられている。本実施形態では、その蓋体内層２２１は長方形で、４つの側壁の内側には複数の蓋体溝２２１１が形成されており、外側には各々少なくとも１つの蓋体ガイド２２１２が形成されている。また、長辺の側壁の外側に蓋体ガイドを２つ、短辺の側壁の外側に蓋体ガイドを１つ設けることが好ましい。
【００１４】
その上部クッション材２３は、取り外しが可能であるようにその蓋体内層２２１の内側の天井部に設けられ、表面に複数の上部溝２３１が直交するように配置されている。それらの上部溝２３１は、その蓋体内層２２１の蓋体溝２２１１に対応しており、その蓋体２２がその箱部２１の上に蓋されると、割れ易い板材の上端を包む。
【００１５】
その蓋体内層２２１およびその上部クッション材２３の材料は、ポリプロピレン（ＥＰＰ）、ポリプロピレンとポリエチレンとの共重合体（ＥＰＯ）、ポリエチレン（ＥＰＥ）、ポリスチレン（ＥＰＳ）から成る材料群から選択される発泡材である。そこで、その蓋体内層２２１の発泡材の発泡率は、３〜２００倍が好ましく、３２〜２００倍が更に好ましい。その上部クッション材２３の発泡材の発泡率は３〜２００倍が好ましく、５０〜２００倍が更に好ましい。
【００１６】
その蓋体外層２２２は、同じく中空構造であり、蓋体内層２２１を収納する。その蓋体外層２２２の側壁の内側には、その蓋体ガイド２２１２に対応する蓋体トレンチ２２２１が設けられており、その蓋体内層２２１をその蓋体外層２２２に挿入すると、その蓋体ガイド２２１２とその蓋体トレンチ２２２１の組合せにより、より緊密に結合する。その蓋体ガイド２２１２とその蓋体トレンチ２２２１の形は、その蓋体内層２２１とその蓋体外層２２２を組み合わせることができれば、特に制限されない。
【００１７】
その蓋体外層２２２の材料は、その蓋体内層２２１の材料と異なって、防火材料か静電気防止材料かである。その蓋体外層２２２を防火材料で作る場合、その防火材料は必ずＵＬ９４Ｖ0からＶ2の基準に適するものであって、プラスチック製と金属製の二つの部分に分かれる。そのうちプラスチック材料は、ポリオレフィンおよびその重合体、ポリ塩化ビニルおよびその重合体、ナイロンおよびその重合体、ポリカーボネートおよびその重合体、ポリメタクリル酸およびその重合体、ポリエステル類およびその重合体から成る材料群から選択され、金属材料はアルミニウム、マグネシウム、アルミニウムとマグネシウムの合金、ブリキおよびステンレス鋼から成る材料群から選択される。
【００１８】
また、箱体外層２２２を静電気防止材料で構成する場合、その静電気防止材料は、体積抵抗が１０1〜１０12Ω・ｃｍが好ましく、１０7〜１０12Ω・ｃｍが更に好ましい。ここでも、プラスチックと金属との２つの部分に分かれる。プラスチックの方は、固有型ポリエーテルポリアミン類高分子(Inhernt Dissipapive Polymer;IDP)と固有型共役導電性高分子(Inhernt Conductive Polymer;IDP)とから成る材料群から選択する。金属は、任意に選択することができる。
【００１９】
図３は、本発明の第二の実施形態による複合型組み立て式箱体の立体分解図である。本実施形態による複合型組み立て式箱体３は、構造および材料においては第一の実施形態による複合型組み立て式箱体２と殆ど同じであり、異なるのは本実施形態による複合型組み立て式箱体３の箱体内層３１１は４枚の側壁で構成され、第一の実施形態による箱体内層２１１は一体形成された点である。
【００２０】
上記の実施形態は、本発明の原理および効果を明らかにするための単なる一例であって、本発明を限定するものではなく、本発明の精神の範囲内で、種々変更して実施することができるものである。
【図面の簡単な説明】
【００２１】
【図１】従来の割れ易い板材の運搬用箱を示す図である。
【図２】本発明の第一の実施形態による割れ易い板材用の複合型組み立て式箱体を示す立体組立図である。
【図３】本発明の第二の実施形態による割れ易い板材用の複合型組み立て式箱体を示す立体組立図である。
【符号の説明】
【００２２】
１…従来の運搬用箱
２…本発明の第一の実施形態による複合型組み立て式箱部
３…本発明の第一の実施形態による複合型組み立て式箱体
１１…箱部
１２…蓋体
２１…箱部
２２…蓋体
２３…上部クッション材
２４…下部クッション材
１１１…箱体溝
２１１…箱体内層
２１２…箱体外層
２２１…蓋体内層
２２２…蓋体外層
２３１…上部溝
２４１…下部溝
３１１…箱体内層
２１１１…箱体溝
２１１２…箱体ガイド
２１２１…箱体トレンチ
２２１１…蓋体溝
２２１２…蓋体ガイド
２２２１…蓋体トレンチ
【図１】
2005067733.tif 000003
【図２】
2005067733.tif 000004
【図３】
2005067733.tif 000005